(57)【要約】      （修正有）【課題】書類受け具の底を一々掘り起こして先に受け付けた書類を抜き出す不便さを改善できる書類の先入れ先出しが可能な書類受け具を提供する。【解決手段】四角形断面枠２２の上部開口と下部開口のそれぞれに、軸３、４にそれぞれ取り付けられ角度４５度で回転する可動式の上蓋１、２と、軸９、１０にそれぞれ取り付けられ角度４５度で回転する可動式の下蓋７、８とを配置した構造体において、可動式各蓋の書類２８と接触する側の片面に滑材２１を配設し、四角形断面枠全体を軸１３、１４に取り付けて１８０度回転させることを特徴とする。【選択図】図１
0003215354.tif 000002
【実用新案登録請求の範囲】
【請求項１】
四角形断面枠（２２）の上部開口と下部開口のそれぞれに、可動式の上蓋（１）、（２）及び下蓋（７）、（８）を配置した構造体において、前記可動式各蓋の書類（２８）と接触する側の片面に滑材（２１）を配設し、四角形断面枠（２２）全体を１８０度回転させることを特徴とする書類（２８）受け具。
【考案の詳細な説明】
【技術分野】
【０００１】本考案は四角形断面枠の開口部を持つ書類受け具に関する。
【背景技術】
【０００２】従来の書類受け具の形状としては、底板を有する四角形の箱である。この箱の中に、書類を受け付け順に重ねていた。
【先行技術文献】
【特許文献】
【０００３】
【特許文献１】特開２００１−１１３８７２公報（Ｐ２００１−１１３８７２Ａ）
【非特許文献】
【０００４】
【非特許文献】なし
【考案の概要】
【考案が解決しようとする課題】
【０００５】従来は書類受け具の上に、受付順に書類を重ねていく方法がとられていたため、先に入れた書類の上に後から入れた書類が載せられてしまうという状況になっていた。しかし事務処理の観点からは時系列順に、先に受け付けた書類から順番に処理しなければならない場合が多い。これまでは、書類受け具の底を一々掘り起こして先に受け付けた書類抜き出さなければならない不便さがあった。
【課題を解決するための手段】
【０００６】本考案は既存の問題点を改善するために、独自の技術を付与した書類２８受け具全体を１８０度回転させて、従来の問題の解決方法を提供するものである。
「初期状態」では、左上蓋１及び右上蓋２は、四角形断面枠２２の左右上端に可動角度４５度で回転する軸３及び４に取り付けられている。両軸はそれぞれサーボモーター５及び６により回転動作を与えられる。この初期状態においては、１及び２は書類２８を受け入れる「開」状態にある。
一方左下蓋７及び右下蓋８は、四角形断面枠２２の左右下端に可動角度４５度で回転する軸９及び１０に取り付けられている。両軸はそれぞれサーボモーター１１及び１２により回転動作を与えられる。初期状態においては、７及び８は既に受け付けた書類２８を保持する「閉」状態になっている。尚、サーボモーター５、６、１１、１２の回転動作はリモコン２６により操作される。
前記の各蓋１、２、７、８の内面側（書類２８と接触する側）に滑材２１を装着させている。滑材としては、試作装置による実験結果によれば鏡ガラス、ソロバン玉、三角柱の鋭角部（線接触部）もふさわしい材料の一つである。また、四角形断面枠２２に対しバイブレーター２７を取り付けて微振動を与えれば滑材２１の作用を助長させる。
また、四角形断面枠２２を構成する４辺の中、前記の各蓋１、２、７、８と平行な２辺２３、２４には、本書類２８受け具全体を１８０度回転させるための軸１３、１４及びサーボモーター１５、１６並びにこれらを支持する支柱１９、２０が配置されている。尚、サーボモーター１５、１６の回転動作は別設のリモコン２６により操作される。
即ち四角形断面枠２２の上部開口と下部開口のそれぞれに、可動式の上蓋１、２及び下蓋７、８を配置した構造体において、前記可動式各蓋の書類２８と接触する側の片面に滑材２１を配設し、四角形断面枠２２全体を１８０度回転させることを特徴とする書類２８受け具。
【考案の効果】
【０００７】次々と書類が重ねられて行く受け具の底を一々掘り起こして先に受け付けた書類を抜き出さなくても、先に受け付けた書類を上から順番に取り出すことが可能になる。【０００８】四角形断面枠２２で成る書類２８受け具の上蓋１、２をサーボモーター５、６によって「閉」にしてから、サーボモーター１５、１６によって本書類２８受け具全体を１８０度回転させる。この回転操作によって、書類受け具内に収納されている書類２８は、四角形断面枠２２内で裏返しにされる訳であるが、滑材２１の作用によってスムーズに反転することを試作実験で確かめられた。また、四角形断面枠２２にバイブレーター２７を取り付けて微小震動を加えれば滑材２１の作用を助長する。【０００９】本書類２８受け具の１８０度回転（反転）終了後の状態は、下蓋７、８は四角形断面枠２２の上面に来る。別設のリモコン２３の操作で下蓋７、８を「開」にすると、書類２８を取り出すことが出来る。書類２８を全て取り出せば、この状態は当初の「初期状態」になるので、引き続いて書類２８受け具として回転動作をさせることが出来る。
【図面の簡単な説明】
【００１０】
【図１】  上蓋、下蓋の第１段階の設定位置を示す断面図
【図２】  図１を  イーイ  方向から見た図
【図３】  上蓋、下蓋の第２段階の設定位置を示す断面図
【図４】  図３を  ローロ  方向から見た図
【図５】  上蓋、下蓋の第３段階の設定位置を示す断面図
【図６】  第２段階で、四角形断面枠２２の回転開始前の状態を示す断面図
【図７】  第２段階で、四角形断面枠２２の回転角度３０度の状態を示す断面図
【図８】  第２段階で、四角形断面枠２２の回転角度９０度の状態を示す断面図
【図９】  第２段階で、四角形断面枠２２の回転角度１２０度の状態を示す断面図
【図１０】  第２段階で、四角形断面枠２２の回転角度１５０度の状態を示す断面図
【図１１】  第２段階で、書類の反転が終了した状態を示す断面図
【考案を実施するための形態】
【００１１】以下、本考案を実施するための形態を図面に基づき説明する。図１は本考案の動作の第１段階即ち書類２８を受付始めている「初期状態」における上蓋１、２は「開」の位置、また下蓋７、８は「閉」の設定位置にあることを示す図である
図２は図１を  イーイ  方向から見た図で、Ｂ側側板２４に連結するサーボモーター１６の回転動作が伝達される仕組みを示している。
即ち、四角形断面枠２２は軸１３、１４に連結し、サーボモーター１５、１６により回転動作（１８０度回転動作）が与えられる。四角形断面枠２２全体は軸受１７、１８及び支柱１９、２０により支えられる。回転動作はリモコン２６により操作される。
図３は四角形枠２２全体がサーボモター１５、１６の動作によって１８０度回転に入る直前の第２段階の状態を示す図である。この段階では上蓋１、２及び下蓋７、８共に「閉」の設定位置になっている。
図４は図３を  ローロ  方向から見た図で、Ｂ側側板２４に連結するにサーボモーター１６の回転動作が伝達される仕組みを示している。
本図では、上蓋１、２及び下蓋７、８共に「閉」の設定位置になっている。
図５は１８０度の回転動作が終了して、当初の下蓋７、８が上面に移動し、当初の上蓋１、２が下面に移動した後の第３段階の状態を示す図で、下蓋７、８はサーボモーター１１、１２の回転動作によって開けられたので、先に受け付けていた書類２８が古い順に上から取り出すことが可能になった状態を示している。これらの書類２８が取り出された後は、この位置での各蓋の設定位置は「初期状態」となり、次の段階の書類２８の受け付けが可能となる。
本考案の目的である先入れ先出しのための書類２８の反転は、図２と図３に示す第２段階で行われる。この段階で書類２８の反転がどのように行われるかを、試作装置で観察した結果を図６〜図１１に示す。図６は四角形断面枠２２に回転動作を加える前の状態で、実質的に図４と同一であり、書類２８に位置変化目印３０を付し、書類状態番号２８ａとした。図７は四角形断面枠２２を始点２９から３０度傾けた時の書類の状態２８ｂを示す。更に傾きを加えて図８の回転角度９０度にすると、書類２８は２８ｃに示すような直立状態になるが、重力の作用で直ぐ転倒して２８ｄの状態になる。引き続いて回転角度１２０度では図９に示す２８ｅの状態に、更に１５０度では図１０の２８ｆの状態になる。書類２８がいずれの場面でもほぼ水平を保持しているのは、書類２８の下面が滑材２１に沿って滑らかに滑るからである。図１１は四角形断面枠２２が１８０度回転して反転し終えた状態で書類は２８ｇの状態となる。
【００１２】尚、操作方法の選択として、新しい技術の導入により「手かざし」或いは「音声指令」を採用することも可能である。
【符号の説明】
【００１３】  １    左上蓋
２    右上蓋
３    左上蓋用軸
４    右上蓋用軸
５    左上蓋用サーボモータ
６    右上蓋用サーボモータ
７    左下蓋
８    右下蓋
９    左下蓋用軸
１０  右下蓋用軸
１１  左下蓋用サーボモータ
１２  右下蓋用サーボモータ
１３  四角形断面枠用Ａ側軸
１４  四角形断面枠用Ｂ側軸
１５  Ａ側軸用サーボモーター
１６  Ｂ側軸用サーボモーター
１７  Ａ側軸用軸受
１８  Ｂ側軸用軸受
１９  Ａ側軸用支柱
２０  Ｂ側軸用支柱
２１  滑材
２２  四角形断面枠
２３  四角形断面枠のＡ側側板
２４  四角形断面枠のＢ側側板
２５  各蓋の４５度開閉軌跡線
２６  操作用リモコン
２７  バイブレーター
２８  書類
２８ａ  四角形断面枠２２の回転開始前の書類位置
２８ｂ  四角形断面枠２２の回転角度３０度の時の書類位置
２８ｃ  四角形断面枠２２の回転角度９０度の時の書類位置（転倒前）
２８ｄ  四角形断面枠２２の回転角度９０度の時の書類位置（転倒後）
２８ｅ  四角形断面枠２２の回転角度１２０度の時の書類位置
２８ｆ  四角形断面枠２２の回転角度１５０度の時の書類位置
２８ｇ  四角形断面枠２２の回転角度１８０度の時の書類位置
２９  四角形断面枠２２の回転角度の始点
３０  書類の位置変化目印
【図１】
0003215354.tif 000003
【図２】
0003215354.tif 000004
【図３】
0003215354.tif 000005
【図４】
0003215354.tif 000006
【図５】
0003215354.tif 000007
【図６】
0003215354.tif 000008
【図７】
0003215354.tif 000009
【図８】
0003215354.tif 000010
【図９】
0003215354.tif 000011
【図１０】
0003215354.tif 000012
【図１１】
0003215354.tif 000013